(57)【要約】【課題】扉の内部の加工を最小限に抑え、複数の電気錠に対するケーブルの配線作業を容易に行うことができる電気錠システムを提供する。【解決手段】  本発明の電気錠システム１は、扉２の室外側壁面２ｃに設けられる室外側ハンドル４と、室外側ハンドル４を両端から挟むような位置で扉２に内設され、施解錠操作装置６に対する操作に基づいて施解錠される２つの電気錠７，８と、電気錠７，８にそれぞれ電気的に接続され、室外側ハンドル４に内設される内設ケーブル５６と、を備えている。【選択図】図２
2015129399.tif 000002
【特許請求の範囲】
【請求項１】
扉の壁面に設けられるハンドルと、
前記ハンドルを両端から挟むような位置で前記扉に内設され、施解錠操作装置に対する操作に基づいて施解錠される複数の電気錠と、
前記複数の電気錠にそれぞれ電気的に接続され、前記ハンドルに内設されるケーブルと、を備えていることを特徴とする電気錠システム。
【請求項２】
前記扉の木口に対して進退可能なラッチボルトを有するラッチ錠を備え、
前記ハンドルには、前記ラッチボルトを退避可能な状態にするラッチ解除機構が設けられていることを特徴とする請求項１に記載の電気錠システム。
【請求項３】
前記ハンドルは、
前記扉の壁面に離間して固定される一対の台座と、
前記一対の台座の少なくとも一方に対して進退可能に支持される可動グリップと、を有し、
前記ラッチ解除機構は、前記可動グリップの進退動作により作動し、
前記ケーブルは、前記可動グリップを介して前記一対の台座を貫通するように配設されていることを特徴とする請求項２に記載の電気錠システム。
【請求項４】
前記ハンドル内において前記ケーブルの配設位置を規定するガイド部材を備えていることを特徴とする請求項１ないし３のいずれかに記載の電気錠システム。
【発明の詳細な説明】
【技術分野】
【０００１】
本発明は、扉の木口に対して進退可能なデッドボルトを電気的に駆動させて施解錠制御する電気錠システムに関する。
【背景技術】
【０００２】
近年、商業施設、公共施設および集合住宅等の出入口や一般住宅の玄関等には、セキュリティや操作性の向上を目的として、ＩＣカード、タグ若しくはキー等をリーダにかざすことによって電気的に施解錠される電気錠システムが設置されることが多い。
【０００３】
従来、この種の電気錠システムとして、扉の木口から出没方向に変位するデッドボルトを有する電気錠を２つ備えたものが知られている（例えば、特許文献１参照）。この電気錠システムでは、２つの電気錠同士が、扉に内設されたケーブルによって接続されている。
【先行技術文献】
【特許文献】
【０００４】
【特許文献１】特開２００８−１８４７４４号公報
【発明の概要】
【発明が解決しようとする課題】
【０００５】
一般的に、扉の内部には断熱材や補強部材等が配置（または充填）されている。しかしながら、従来の電気錠システムでは、各電気錠の間を接続するケーブルを扉の内部に配線しなければならないため、扉の内部の断熱材や補強部材等を除去または回避しながら配線を行う必要があった。このような配線作業は、加工が難しく施工時間もかかるという問題があった。
【０００６】
また、扉の内部の配線スペースを確保するために断熱材や補強部材等を除去した場合、扉の断熱性能や強度性能が若干低下する虞もあった。
【０００７】
本発明は、扉の内部の加工を最小限に抑え、複数の電気錠に対するケーブルの配線作業を容易に行うことができる電気錠システムを提供することを目的とする。
【課題を解決するための手段】
【０００８】
上記した目的を達成するため、本発明の電気錠システムは、扉の壁面に設けられるハンドルと、前記ハンドルを両端から挟むような位置で前記扉に内設され、施解錠操作装置に対する操作に基づいて施解錠される複数の電気錠と、前記複数の電気錠にそれぞれ電気的に接続され、前記ハンドルに内設されるケーブルと、を備えていることを特徴とする。
【０００９】
この構成によれば、扉の内部にケーブルを通すことなく、ハンドル内に設けられたケーブルを介して、扉内に配置された各電気錠を互いに接続することができる。これにより、扉の内部に対する配線のための加工を省略することができ、容易且つ短時間でケーブルの配線作業を行うことができる。また、例えば工場出荷時等、予めハンドル内にケーブルを配設可能であるため、電気錠（電気錠システム）の施工現場での作業工程を簡略化することができる。さらに、扉の内部の断熱材や補強部材等を除去加工が不要であるため、扉の断熱性能や強度性能を高く維持することができる。
【００１０】
この場合、前記扉の木口に対して進退可能なラッチボルトを有するラッチ錠を備え、前記ハンドルには、前記ラッチボルトを退避可能な状態にするラッチ解除機構が設けられていることが好ましい。
【００１１】
この構成によれば、ハンドルに対する扉の開放動作に連動してラッチボルトを解除することができる。これにより、ユーザは、ラッチボルトの解除を意識することなく容易に扉を開放することができる。
【００１２】
この場合、前記ハンドルは、前記扉の壁面に離間して固定される一対の台座と、前記一対の台座の少なくとも一方に対して進退可能に支持される可動グリップと、を有し、前記ラッチ解除機構は、前記可動グリップの進退動作により作動し、前記ケーブルは、前記可動グリップを介して前記一対の台座を貫通するように配設されていることが好ましい。
【００１３】
この構成によれば、可動グリップは略直線的に進退するため、可動グリップと各台座との間において、ケーブルが挟まってしまうことを防止することができると共にケーブルの外部への露出を抑えることができる。
【００１４】
この場合、前記ハンドル内において前記ケーブルの配設位置を規定するガイド部材を備えていることが好ましい。
【００１５】
この構成によれば、ハンドルの内部において、ケーブルの位置がずれることを防止することができる。これにより、例えば、可動部分にケーブルが挟まれて断線すること等を有効に防止することができる。また、ケーブルをハンドル内に取り付ける際の位置決め作業を、迅速且つ正確に行うことができる。
【発明の効果】
【００１６】
本発明によれば、扉の内部の加工を最小限に抑え、複数の電気錠に対するケーブルの配線作業を容易化可能な電気錠システムを得ることができる。
【図面の簡単な説明】
【００１７】
【図１】本発明の一実施形態に係る電気錠システムを示す概略図である。
【図２】本発明の一実施形態に係る電気錠システムの室内側ハンドルおよび室外側ハンドルを示す側断面図である。
【図３】本発明の一実施形態に係る室外側ハンドルのグリップカバーを取り外した状態を示す正面図である。
【図４】図２のＡ−Ａ断面図である。
【図５】図２のＢ−Ｂ断面図である。
【図６】本発明の一実施形態の変形例における図２のＡ−Ａ断面図である。
【発明を実施するための形態】
【００１８】
以下、図１ないし図５を参照しつつ、本発明の実施の形態に係る電気錠システム１について説明する。ここで、図１は電気錠システム１を示す概略図、図２は室内側ハンドル３および室外側ハンドル４を示す側断面図、図３は室外側ハンドル４のグリップカバー２３ｂを取り外した状態を示す正面図である。図４および図５は、図２のＡ−Ａ断面図およびＢ−Ｂ断面図である。なお、説明の便宜のため、図２において、扉２の室外側である左側を正面（前）とし、扉２の室内側である右側を背面（後）と規定する。
【００１９】
図１および図２に示すように、電気錠システム１は、扉２の室内外の両壁面にそれぞれ固定される室内側ハンドル３および室外側ハンドル４と、扉２の木口２ａに対して進退可能なラッチボルト３５を有するラッチ錠５と、室外側ハンドル４に設置される施解錠操作装置６と、施解錠操作装置６に対する操作に基づいて施解錠される主電気錠７および副電気錠８と、扉２の内部に設けられる制御装置９と、施解錠操作装置６、各電気錠７，８および制御装置９に電力を供給する電源供給装置１０と、を含んで構成されている。
【００２０】
図２に示すように、室内側ハンドル３は、扉２の室内側壁面２ｂに上下方向に離間して固定される上室内側台座１１および下室内側台座１２と、各台座１１，１２を連結するように設けられる室内側可動グリップ１３と、を有している。
【００２１】
上室内側台座１１は、側面視で（木口２ａ方向から見て）上方に向かって室内側壁面２ｂ側に湾曲して形成されている。上室内側台座１１の下側には、上室内側凹部１１ａが凹設されている。上室内側凹部１１ａの内部には、室内側ラッチ解除機構１５が設けられている。上室内側凹部１１ａの底部には、複数のネジ挿入部１１ｂが設けられている。なお、上室内側台座１１の上部には、サムターン開口部１１ｃが前後方向に貫通形成されている。
【００２２】
下室内側台座１２は、上室内側台座１１と上下対称となるように、側面視で下方に向かって室内側壁面２ｂ側に湾曲して形成されている。下室内側台座１２の上側には、下室内側凹部１２ａが凹設されている。下室内側凹部１２ａの内部には、左右方向（扉２の幅方向）に室内側回転軸部１６が設けられている。下室内側凹部１２ａの底部には複数のネジ挿入部１２ｂが設けられている。なお、下室内側台座１２の下部には、サムターン開口部１２ｃが前後方向に貫通形成されている。
【００２３】
室内側可動グリップ１３は、その上下両端部に形成される室内上側脚部１７および室内下側脚部１８と、各脚部１７，１８を連結するように上下方向に延びる室内側連結部１９と、を有し、全体として後側（室内側）に僅かに湾曲したアーチ状に形成されている。
【００２４】
室内上側脚部１７には、室内側ラッチ解除機構１５の進退を許容する室内側開口部１７ａが形成されている。また、室内下側脚部１８には室内側軸支部１８ａが形成されており、この室内側軸支部１８ａは下室内側台座１２の室内側回転軸部１６に回動可能に支持されている。したがって、室内側可動グリップ１３は、下側の室内側回転軸部１６を中心として、上側が前後方向に進退（正確には回動）するようになっている。なお、室内側ラッチバー１５ｃを含む室内側ラッチ解除機構１５は、後述する室外側ラッチ解除機構２５と同様の構成を有しているため、ここでは詳細な説明を省略する。
【００２５】
また、図１ないし図３に示すように、室外側ハンドル４は、上記した室内側ハンドル３と同様に、扉２の室外側壁面２ｃに上下方向に離間して固定される上室外側台座２１および下室外側台座２２と、各台座２１，２２を連結するように設けられる室外側可動グリップ２３と、を有している。
【００２６】
上室外側台座２１は、側面視で上方に向かって室外側壁面２ｃ側に湾曲して形成されている。上室外側台座２１の下側には、上室外側凹部２１ａが凹設されている。上室外側凹部２１ａの内部には、室外側ラッチ解除機構２５が設けられている。上室外側凹部２１ａの底部には、複数のネジ固定部２１ｂが設けられている。なお、上室外側台座２１の上部には、シリンダ開口部２１ｃが前後方向に貫通形成されている。また、上室外側凹部２１ａの底部には、上側配線孔２１ｄが前後方向に貫通形成されている。
【００２７】
下室外側台座２２は、上室外側台座２１と上下対称となるように、側面視で下方に向かって室外側壁面２ｃ側に湾曲して形成されている。下室外側台座２２の上側には、下室外側凹部２２ａが凹設されている。下室外側凹部２２ａの内部には、左右方向（扉２の幅方向）に室外側回転軸部２６が設けられている。下室外側凹部２２ａの底部には、複数のネジ固定部２２ｂが設けられている。なお、下室外側台座２２の下部には、シリンダ開口部２２ｃが前後方向に貫通形成されている。また、下室外側凹部２２ａの底部には、下側配線孔２２ｄが前後方向に貫通形成されている。なお、扉２の室外側壁面２ｃには、上側配線孔２１ｄおよび下側配線孔２２ｄに対応する位置に、それぞれ配線孔（図示せず）が開口している。
【００２８】
上室外側台座２１は、上室内側台座１１との間に扉２を挟むように配置され、各ネジ挿入部１１ｂに挿入した固定ネジＢ１を各ネジ固定部２１ｂに螺合させることで扉２に固定される。同様に、下室外側台座２２は、下室内側台座１２との間に扉２を挟むように配置され、各ネジ挿入部１２ｂに挿入した固定ネジＢ１を各ネジ固定部２２ｂに螺合させることで扉２に固定される。
【００２９】
室外側可動グリップ２３は、グリップ本体部２３ａの室外側をグリップカバー２３ｂで覆い、全体として前側（室外側）に僅かに湾曲したアーチ状に形成されている。グリップ本体部２３ａは、その上下両端部に形成される室外上側脚部２７および室外下側脚部２８と、各脚部２７，２８を連結するように上下方向に延びる室外側連結部２９と、を有している。
【００３０】
室外上側脚部２７には、室外側ラッチ解除機構２５の進退を許容する室外側開口部２７ａが形成され、室外下側脚部２８には室外側回転軸部２６に軸支される室外側軸支部２８ａが形成されている。したがって、室外側可動グリップ２３は、下側の室外側回転軸部２６を中心として、上側が前後方向に進退（正確には回動）するようになっている。
【００３１】
グリップ本体部２３ａ（主に室外側連結部２９）は、全体として略箱状に形成され、その内部にはグリップ内空間Ｓ１が凹設されている（図４参照）。なお、室外上側脚部２７の上端部および室外下側脚部２８の下端部には、それぞれ取付ネジ挿通孔２３ｃが形成され（図３参照）、グリップカバー２３ｂには、各取付ネジ挿通孔２３ｃに対応する位置に取付ネジ孔部２３ｄが形成されている。各取付ネジ挿通孔２３ｃに挿入した取付ネジＢ２を取付ネジ孔部２３ｄに螺合させることで、グリップ内空間Ｓ１を閉塞するようにグリップカバー２３ｂが取り付けられる。
【００３２】
グリップ本体部２３ａのグリップ内空間Ｓ１には、所定の剛性確保のために、上下方向に延びる複数の縦リブ３０と、左右方向に延びる複数の横リブ３１とが格子状に形成されている（図３参照）。各縦リブ３０および各横リブ３１は、グリップ本体部２３ａの底面から突出するように設けられている（図４参照）
【００３３】
詳細には、図２ないし図４に示すように、縦リブ３０は、左右方向に略等間隔に、且つ平行に５本配設されている。各縦リブ３０は、室外側連結部２９の上端近傍から室外下側脚部２８の上部まで延設されている。左右方向中央の縦リブ３０以外の縦リブ３０は、その先端がグリップ内空間Ｓ１を閉塞した状態のグリップカバー２３ｂの内側面に当接するように形成されている。一方、左右方向中央の縦リブ３０は、前後方向の長さが他の縦リブ３０の略半分に形成されている。
【００３４】
また、横リブ３１は、上下方向に略等間隔（正確には上下端での間隔のみ狭い）に、且つ平行に１４本配設されており、グリップ内空間Ｓ１を上下方向に細かく仕切るように形成されている。各横リブ３１は、その左右方向略中央が前側（室外側）から切り欠かれた切欠き部３１ａが形成されている。この切欠き部は、上記した左右方向中央の縦リブ３０の先端位置まで切り欠かれている。
【００３５】
次に、図２および図５を参照して室外側ラッチ解除機構２５およびラッチ錠５について説明する。
【００３６】
図２に示すように、室外側ラッチ解除機構２５は、上部に設けられるバー回転軸２５ａと、バー回転軸２５ａの外周に巻回された捩りコイルバネ２５ｂと、捩りコイルバネ２５ｂによって後方（室内側）に付勢される室外側ラッチバー２５ｃと、を有している。
【００３７】
室外側ラッチバー２５ｃは、縦長矩形状のラッチバー側取付部３２と、その上部から扉２内に挿設される略横長矩形状の突起部３３と、により一体形成されている。ラッチバー側取付部３２の下部には、室外側可動グリップ２３の室外側開口部２７ａに進退可能に係合する室外側突起部３２ａが形成されている。また、捩りコイルバネ２５ｂの一方の腕部はバー回転軸２５ａと水平位置に固定され、他方の腕部は下方に延び室外側突起部３２ａに係合するように設けられている。これにより、室外側可動グリップ２３は、室外側ラッチバー２５ｃを介して捩りコイルバネ２５ｂによって後方に付勢されている。室外側ラッチバー２５ｃは、室外側可動グリップ２３の進退に連動して、バー回転軸２５ａを中心として前後方向に回動（進退）するように構成されている。
【００３８】
図５に示すように、ラッチ錠５は、扉２の内部に設置される錠ケース３４と、錠ケース３４の前端部に配置されるラッチボルト３５と、上下一対の係止片３６，３７と、一対の作動片３８，３９と、を有している。
【００３９】
錠ケース３４には錠ケース取付板３４ａが固定され、錠ケース取付板３４ａは固定ネジ３４ｂにより扉２の木口２ａに固定されている。木口２ａから突出したラッチボルト３５は、扉枠４０に設けられたストライク４１に進入するようになっている。これにより、扉枠４０に対する扉２の閉止状態（仮締り状態）が保持される。なお、ラッチボルト３５はコイルバネ３５ａによって木口２ａから突出するように付勢されている。
【００４０】
上側の係止片３６は、第１支点３６ａに回動可能に支持されている。係止片３６の木口２ａ側には、ラッチボルト３５の鍔部３５ｂに係合する係止突起３６ｂが下方に向かって突設されている。係止片３６の吊元側（木口２ａの反対側）には、被押圧部３６ｃが上方に向かって突設されている。係止片３６の左右方向略中央には、連結腕部３６ｄが下方に延出し、連結腕部３６ｄの下端部には係合突起３６ｅが設けられている。
【００４１】
下側の係止片３７は、上記した係止片３６を上下反転させたような形状であり、係止突起３７ｂ、被押圧部３７ｃおよび連結腕部３７ｄを有し、第２支点３７ａに回動可能に支持されている。連結腕部３７ｄの上端部には係合穴３７ｅが設けられ、この係合穴３７ｅが係合突起３６ｅと係合することでリンク４２が形成される。第２支点３７ａの周りには、ラッチボルト３５を係止姿勢（図５の実線参照）とするように各係止片３６、３７を付勢する付勢バネ４３が巻回されている。
【００４２】
各作動片３８、３９は、それぞれ、上下動可能に構成されている。一方の作動片３８の上部には、係止片３６の被押圧部３６ｃと当接する押圧部３８ａが設けられている。作動片３８の下部には、各ラッチバー１５ｃ，２５ｃと当接する当接部３８ｂが設けられている。同様に、他方の作動片３９の下部には係止片３７の被押圧部３７ｃと当接する押圧部３９ａが設けられ、その上部には当接部３９ｂが設けられている。
【００４３】
次に、図２および図５を参照して、ラッチ錠５の作用について説明する。扉２が閉止された状態では、付勢バネ４３によって各係止突起３６ｂ、３７ｂがラッチボルト３５の鍔部３５ｃを係止しており、扉２の木口２ａからのラッチボルト３５の退避が規制されている（図５の実線参照）。
【００４４】
この状態で、室外から扉２を開放するには、ユーザは、室外側ハンドル４の室外側可動グリップ２３を把持して手前（前方）に引っ張る。すると、室外側可動グリップ２３が室外側回転軸部２６を中心に前方に回動し、室外側ラッチ解除機構２５の室外側ラッチバー２５ｃがバー回転軸２５ａを中心に下方に回動する。そして、室外側ラッチバー２５ｃの突起部３３が当接部３８ｂに当接し、作動片３８が下方に移動する。これに伴って、作動片３８の押圧部３８ａが被押圧部３６ｃを押下げ、付勢バネ４３の付勢力に抗して係止片３６が回動する（図５の二点鎖線参照）。同様に、リンク４２を介して接続された係止片３７も回動する。これにより、係止突起３６ｂおよび係止突起３７ｂによるラッチボルト３５の係止が解除され、ラッチボルト３５が扉２の木口２ａから退避可能となる。
【００４５】
以上のように、室外側ハンドル４に対する扉２の開放動作に連動してラッチボルト３５を退避可能状態（解除）することができる。これにより、ユーザは、ラッチボルト３５の状態を意識することなく容易に扉２を開放することができる。なお、室内側ハンドル３の室内側可動グリップ１３を押圧操作した場合の作用は、室外側ハンドル４を引張操作した場合の作用と略同様であるため、その説明を省略する。
【００４６】
次に、図２および図３に示すように、施解錠操作装置６は、グリップカバー２３ｂの上部に形成された開口に取り付けられるリーダ４４と、リーダ４４と電気的に接続され、グリップ本体部２３ａのグリップ内空間Ｓ１に設置される操作装置本体４５と、を有している。なお、リーダ４４は、例えば、非接触型ＩＣカード、キーヘッドまたはタグ等に記憶された情報を読み取る。
【００４７】
図１および図２に示すように、主電気錠７および副電気錠８は、各ハンドル３，４を上下方向両端から挟むような位置で扉２に内設されている。
【００４８】
主電気錠７は、上室内側台座１１と上室外側台座２１との間に挟まれるように扉２の内部に設けられ、木口２ａに対して主側デッドボルト４６を進退させるモータやソレノイド等の駆動手段を駆動制御する電気基板（いずれも図示せず）等を備えている。主電気錠７の室内側には、手動で主側デッドボルト４６を進退操作するためのサムターン７ａが、上室内側台座１１のサムターン開口部１１ｃから露出するように設けられている。さらに、主電気錠７の室外側には、機械的キー（図示せず）が挿入されて施解錠が行われるシリンダ錠７ｂが、上室外側台座２１のシリンダ開口部２１ｃから露出するように設けられている。
【００４９】
また、主電気錠７には、主側ケーブル４７が接続され、下方に向けて延出している。主側ケーブル４７の下端部には、主側レセプタクルコネクタ４８が取り付けられている。
【００５０】
副電気錠８は、主電気錠７と同様に、下室内側台座１２と下室外側台座２２との間に挟まれるように扉２の内部に設けられ、副側デッドボルト５０を進退させる駆動手段や電気基板等（図示せず）を備えて構成されている。また、副電気錠８には、サムターン８ａおよびシリンダ錠８ｂが設けられている。
【００５１】
また、副電気錠８には、副側ケーブル５１が接続され、上方に向けて延出している。副側ケーブル５１の上端部には、副側レセプタクルコネクタ５２が取り付けられている。
【００５２】
図１に示すように、制御装置９は、主電気錠７の上方において扉２の内部に設けられており、ＣＰＵ、ＲＯＭおよびＲＡＭ等を有するマイクロコンピュータ（図示せず）により構成されている。制御装置９は、リーダ４４で読み取り、操作装置本体４５から送信された認証情報が正しい認証情報であるか否かを判別する機能等を有している。また、制御装置９は、機械的キーまたはサムターン７ａにより、主電気錠７を施錠した場合に、副電気錠８も同時に施錠する施錠追従機能を有している。さらに、制御装置９は、機械的キーまたはサムターン７ａにより、主電気錠７および副電気錠８の一方のみを解錠し、一定時間内に他方の電気錠を解錠しない場合に、解錠した一方の電気錠を再び自動的に施錠する施錠復帰機能を有している。
【００５３】
電源供給装置１０は、扉２の外部に配置されており、扉２の吊元に設置される通電金具５３や扉２の内部に配線される電源ケーブル５４を介して、施解錠操作装置６、主電気錠７、副電気錠８、制御装置９等に電源を供給するようになっている。
【００５４】
ところで、上記した制御装置９による各種機能を実現するために、制御装置９は、施解錠操作装置６と、主電気錠７と、副電気錠８とに対し、それぞれ各種ケーブルを介して電気的に接続されている。すなわち、各種ケーブルを通じて、制御情報等の伝送が行われている。具体的には、制御装置９と主電気錠７とは、制御ケーブル５５により接続されている（図１参照）。また、主電気錠７と副電気錠８とは、施解錠操作装置６を介して、内設ケーブル５６により接続されている（図２参照）。
【００５５】
ここで、内設ケーブル５６は、上記した室外側可動グリップ２３のグリップ内空間Ｓ１に配設されている。詳細には、図２ないし図４に示すように、内設ケーブル５６は、左右方向中央の縦リブ３０の先端と、これに隣り合う左右の縦リブ３０と、各横リブ３１の切欠き部３１ａとで囲まれる空間（以下、「配線空間Ｓ２」という。）にガイドされつつ保持されている。つまり、配線空間Ｓ２によって内設ケーブル５６の配設位置が規定される。なお、この配線空間Ｓ２を形成する各部が、請求項にいうガイド部材である。
【００５６】
図２に示すように、配線空間Ｓ２の上端から上方に延出した内設ケーブル５６は、一旦、施解錠操作装置６の下部に接続されると共に、施解錠操作装置６の上部から室外上側脚部２７に向かって更に上方に延出して設けられている。また、内設ケーブル５６の上端部は、上室外側台座２１の上側配線孔２１ｄを通って扉２内部に設けられている。内設ケーブル５６の上端には、上端プラグコネクタ５７が取り付けられている。
【００５７】
また、内設ケーブル５６は、配線空間Ｓ２の下端において室外下側脚部２８に向かって延び、下室外側台座２２の下側配線孔２２ｄを通って扉２内部に設けられている。内設ケーブル５６の下端には、下端プラグコネクタ５８が取り付けられている。
【００５８】
なお、内設ケーブル５６は、室外側ハンドル４の内部（配線空間Ｓ２）に取り付けられた状態で工場出荷される。
【００５９】
主電気錠７と副電気錠８とを電気的に接続するには、作業者は、主側ケーブル４７の主側レセプタクルコネクタ４８を扉２に開口した配線孔（図示せず（上側配線孔２１ｄに対応する孔））から引き出す。次に、引き出した主側レセプタクルコネクタ４８と内設ケーブル５６の上端プラグコネクタ５７とを接続する。同様に、作業者は、副側ケーブル５１の副側レセプタクルコネクタ５２を、扉２に開口した配線孔（図示せず（下側配線孔２２ｄに対応する孔））から室外側に引き出し、副側レセプタクルコネクタ５２と内設ケーブル５６の下端プラグコネクタ５８とを接続する。以上により、主電気錠７と副電気錠８とが電気的に接続された状態となる。その後、接続された各コネクタは扉２内部に収容され、室外側ハンドル４（各台座２１，２２）は扉２の室外側壁面２ｃに取り付けられる。
【００６０】
次に、上記した本実施形態に係る電気錠システム１の動作について説明する。なお、施解錠操作装置６のリーダ４４には、通電金具５３および電源ケーブル５４を介して電源供給装置１０から電源が供給されているものとする。
【００６１】
先ず、室外側から入室しようとする者（ユーザ）が、非接触型ＩＣカードをリーダ４４にかざすと、リーダ４４から認証情報が制御装置９に送信される。制御装置９では、受信した認証情報が予め記憶されている特定の認証情報と合致するか否かが判別される。
【００６２】
この結果、認証情報が特定の認証情報と合致していると判別された場合、制御装置９から主電気錠７に対して解錠信号が出力され、主電気錠７では、解錠信号に基づいて駆動手段に対して駆動信号が出力されて解錠される。また、主電気錠７が解錠されると、制御装置９から副電気錠８に対して解錠信号が出力され、副電気錠８は、解錠信号に基づいて駆動手段に対して駆動信号を出力し、主電気錠７と連動して解錠される。
【００６３】
これに対して、受信した認証情報が特定の認証情報と合致しないと判別された場合には、制御装置９から主電気錠７に解錠信号が出力されず、主電気錠７の解錠は行われない。
【００６４】
なお、上記した本実施形態では、施解錠操作装置６として、室外側ハンドル４にリーダ４４等を設け、ＩＣカード等をかざす場合について例示したが、本発明はこの形態に限定されるものではない。例えば、指紋等の生体認証式のリーダを用いてもよいし、リーダに加えて指等で接触するタッチキー、テンキーを設けてもよい。また、図示は省略するが、例えば、操作装置本体４５に接続されるスイッチを、室外側ハンドル４に設け、室外側ハンドル４を把持したユーザがスイッチを押圧操作した場合に、制御装置９が、電源供給装置１０からリーダ４４に電源供給するように制御してもよい。
【００６５】
以上の本実施形態に係る電気錠システム１によれば、扉２の内部にケーブルを通すことなく、室外側ハンドル４内に設けられた内設ケーブル５６を介して、扉２の内部に配置された各電気錠７，８を互いに接続することができる。これにより、扉２の内部に対する配線のための加工を省略することができ、容易且つ短時間で内設ケーブル５６の配線作業を行うことができる。また、例えば工場出荷時等、予め室外側ハンドル４内に内設ケーブル５６を配設可能であるため、電気錠システム１の施工現場での作業工程を簡略化することができる。さらに、扉２の内部の断熱材や補強部材等を除去加工が不要であるため、扉２の断熱性能や強度性能を高く維持することができる。
【００６６】
また、本実施形態に係る電気錠システム１によれば、室外側可動グリップ２３は、正確には下室外側台座２２の室外側回転軸部２６を中心として回動するが、室外側回転軸部２６から上方に離間した室外側可動グリップ２３の上部では、略直線的に進退する。このため、室外側可動グリップ２３と上室外側台座２１との間において、内設ケーブル５６が挟まってしまうことを防止することができると共に内設ケーブル５６の外部への露出を抑えることができる。なお、室外側可動グリップ２３と下室外側台座２２との間では進退移動しないため、内設ケーブル５６の挟まり等は生じない。
【００６７】
なお、各配線孔２１ｄ，２２ｄ等の内設ケーブル５６が摺接する箇所に、摩擦係数の低い樹脂等からなるパッキン等を配設してもよい。
【００６８】
さらに、本実施形態に係る電気錠システム１によれば、内設ケーブル５６は、配線空間Ｓ２に沿って位置決めされているため、室外側ハンドル４の内部（グリップ内空間Ｓ１）において、内設ケーブル５６の位置がずれることを防止することができる。これにより、例えば、内設ケーブル５６が予期せず移動し、上室外側台座２１と室外側可動グリップ２３との間等の可動部分に内設ケーブル５６が挟まれて断線すること等を有効に防止することができる。また、内設ケーブル５６の配線作業は、内設ケーブル５６を配線空間Ｓ２に配置するのみで完了するため、配線作業時（取り付ける際）における内設ケーブル５６の位置決めを、迅速且つ正確に行うことができる。
【００６９】
＜変形例＞
次に、図６を参照し、本発明の本実施形態の変形例に係る電気錠システム１について説明する。
【００７０】
上記した実施形態では、内設ケーブル５６をガイドおよび保持する部材である各リブ３０，３１は、室外側可動グリップ２３のグリップ本体部２３ａ側（グリップ内空間Ｓ１）に形成されていたが、これに代えて、グリップカバー２３ｂ側に内設ケーブル５６を保持するガイド部材６０を形成してもよい。
【００７１】
図６に示すように、例えば、ガイド部材６０が、内設ケーブル５６を挟み込んで保持する複数の挟持部６１により構成されていてもよい。複数の挟持部６１は、上下方向に等間隔でグリップカバー２３ｂの内面（背面）から突出するように設けられている。各挟持部６１は、内設ケーブル５６を挟持可能なＵ字状に形成されている。この複数の挟持部６１に内設ケーブル５６を挟持させた状態で、グリップカバー２３ｂをグリップ本体部２３ａに取り付けることで、内設ケーブル５６がグリップ内空間Ｓ１に内設される。
【００７２】
また、図示は省略するが、その他の変形例として、内設ケーブル５６を保持するガイド部材を、例えば管状に形成した別部材で構成してもよい。この場合、管状のガイド部材に挿通させた内設ケーブル５６を、グリップ本体部２３ａのグリップ内空間Ｓ１に配設し、グリップカバー２３ｂを取り付けることにより、グリップ本体部２３ａ（各リブ３０，３１）とグリップカバー２３ｂとの間に管状のガイド部材が挟まれて位置決め固定される。なお、管状のガイド部材は、内設ケーブル５６を保護することができるように、弾性（可撓性）を有する材料で形成されていることが好ましい。
【００７３】
なお、上記した実施形態およびその変形例に係る電気錠システム１では、室外側ハンドル４の内部に内設ケーブル５６を配設したが、これに代えて、室内側ハンドル３の内部に内設ケーブル５６を配設するように構成してもよい。また、内設ケーブル５６をグリップ内空間Ｓ１の左右中央に配設したが、左右いずれかに寄せて配設してもよい。さらに、各リブ３０，３１を省略してもよい。さらに、上記した各ハンドル３，４は、下側の各回転軸部１６，２６を中心に上側が回動したが、各ハンドル３，４の上下が、水平方向に平行移動するように構成してもよい。
【００７４】
なお、上記した実施形態およびその変形例に係る配設ケーブル５６の配線構造を、所謂面付きタイプのプッシュプルハンドルに適用してもよい。
【００７５】
なお、上記した本発明の実施形態およびその変形例の説明は、本発明に係る電気錠システム１における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００７６】
１  電気錠システム
２  扉
３  室内側ハンドル
４  室外側ハンドル
５  ラッチ錠
６  施解錠操作装置
７  主電気錠
８  副電気錠
１１  上室内側台座
１２  下室内側台座
１３  室内側可動グリップ
１５  室内側ラッチ解除機構
２１  上室外側台座
２２  下室外側台座
２３  室外側可動グリップ
２５  室外側ラッチ解除機構
３０  縦リブ（ガイド部材）
３１  横リブ（ガイド部材）
３１ａ  切欠き部（ガイド部材）
３５  ラッチボルト
５６  内設ケーブル（ケーブル）
６０  ガイド部材
Ｓ１  グリップ内空間
Ｓ２  配線空間
【図１】
2015129399.tif 000003
【図２】
2015129399.tif 000004
【図３】
2015129399.tif 000005
【図４】
2015129399.tif 000006
【図５】
2015129399.tif 000007
【図６】
2015129399.tif 000008